【手続補正書】
【提出日】平成27年2月16日(2015.2.16)
【手続補正１】
【補正対象書類名】明細書
【補正対象項目名】０００７
【補正方法】変更
【補正の内容】
【０００７】
上記の目的を達成するため、本発明による撮像装置は、撮影倍率に関する情報を取得する取得手段と、測光を行う測光手段と、前記取得手段により取得された撮影倍率に関する情報と前記測光手段による測光結果とに基づいて絞り値及びシャッター速度を決定する露出演算手段と、を有する撮像装置であって、前記露出演算手段は、前記測光結果に基づく輝度情報が同一であれば、前記取得手段により取得された撮影倍率に関する情報に基づく撮影倍率が第１の値より大きいときの方を、前記撮影倍率が前記第１の値以下のときよりも前記絞り値を大きい値とし、前記撮影倍率が前記第１の値より大きく前記測光結果に基づく輝度情報が同一であれば、前記撮像装置のぶれ及び撮影画面内の被写体の動きがないときの方を、前記撮像装置のぶれ又は前記撮影画面内の被写体の動きがあるときよりも前記絞り値を大きい値とするとともに前記シャッター速度を低速とすることを特徴とする。
【手続補正２】
【補正対象書類名】明細書
【補正対象項目名】０００８
【補正方法】変更
【補正の内容】
【０００８】
本発明による制御方法は、撮影倍率に関する情報を取得する取得ステップと、測光を行う測光ステップと、前記取得ステップで取得された撮影倍率に関する情報と前記測光ステップによる測光結果とに基づいて絞り値及びシャッター速度を決定する露出演算ステップと、を有する撮像装置の制御方法であって、前記露出演算ステップは、前記測光結果に基づく輝度情報が同一であれば、前記取得ステップで取得された撮影倍率に関する情報に基づく撮影倍率が第１の値より大きいときの方を、前記撮影倍率が前記第１の値以下のときよりも前記絞り値を大きい値とし、前記撮影倍率が前記第１の値より大きく前記測光結果に基づく輝度情報が同一であれば、前記撮像装置のぶれ及び撮影画面内の被写体の動きがないときの方を、前記撮像装置のぶれ又は前記撮影画面内の被写体の動きがあるときよりも前記絞り値を大きい値とするとともに前記シャッター速度を低速とすることを特徴とする。
【手続補正３】
【補正対象書類名】明細書
【補正対象項目名】０００９
【補正方法】変更
【補正の内容】
【０００９】
本発明による制御プログラムは、撮像装置が備えるコンピュータに、撮影倍率に関する情報を取得する取得ステップと、測光を行う測光ステップと、前記取得ステップで取得された撮影倍率に関する情報と前記測光ステップによる測光結果とに基づいて絞り値及びシャッター速度を決定する露出演算ステップと、を実行させる制御プログラムであって、前記露出演算ステップは、前記測光結果に基づく輝度情報が同一であれば、前記取得ステップで取得された撮影倍率に関する情報に基づく撮影倍率が第１の値より大きいときの方を、前記撮影倍率が前記第１の値以下のときよりも前記絞り値を大きい値とし、前記撮影倍率が前記第１の値より大きく前記測光結果に基づく輝度情報が同一であれば、前記撮像装置のぶれ及び撮影画面内の被写体の動きがないときの方を、前記撮像装置のぶれ又は前記撮影画面内の被写体の動きがあるときよりも前記絞り値を大きい値とするとともに前記シャッター速度を低速とすることを特徴とする。
【手続補正４】
【補正対象書類名】特許請求の範囲
【補正対象項目名】全文
【補正方法】変更
【補正の内容】
【特許請求の範囲】
【請求項１】
撮影倍率に関する情報を取得する取得手段と、測光を行う測光手段と、前記取得手段により取得された撮影倍率に関する情報と前記測光手段による測光結果とに基づいて絞り値及びシャッター速度を決定する露出演算手段と、を有する撮像装置であって、
前記露出演算手段は、前記測光結果に基づく輝度情報が同一であれば、前記取得手段により取得された撮影倍率に関する情報に基づく撮影倍率が第１の値より大きいときの方を、前記撮影倍率が前記第１の値以下のときよりも前記絞り値を大きい値とし、前記撮影倍率が前記第１の値より大きく前記測光結果に基づく輝度情報が同一であれば、前記撮像装置のぶれ及び撮影画面内の被写体の動きがないときの方を、前記撮像装置のぶれ又は前記撮影画面内の被写体の動きがあるときよりも前記絞り値を大きい値とするとともに前記シャッター速度を低速とすることを特徴とする撮像装置。
【請求項２】
前記露出演算手段は、前記測光結果に基づく輝度情報が同一であれば、前記撮影倍率が前記第１の値より大きく、前記撮像装置のぶれ又は前記撮影画面内の被写体の動きがあるときの方を、前記撮影倍率が前記第１の値より小さい第２の値以下のときよりも、前記絞り値を大きい値とすることを特徴とする請求項１に記載の撮像装置。
【請求項３】
前記露出演算手段は、前記測光結果に基づく輝度情報が同一であれば、前記撮影倍率が前記第１の値より大きく、前記撮像装置のぶれ又は前記撮影画面内の被写体の動きがあるときの方を、前記撮影倍率が前記第２の値より大きく前記第１の値未満のときよりも、前記絞り値を大きい値とすることを特徴とする請求項２に記載の撮像装置。
【請求項４】
前記露出演算手段は、前記撮影倍率が前記第１の値より大きく、前記撮像装置のぶれ又は前記撮影画面内の被写体の動きがあるときは、前記測光結果に基づく輝度情報によらず前記絞り値を一定にすることを特徴とする請求項１乃至３のいずれか１項に記載の撮像装置。
【請求項５】
前記露出演算手段は、前記測光結果に基づく輝度情報が所定の範囲内の場合、前記測光結果に基づく輝度情報が同一の状況であれば、前記撮影倍率が前記第１の値より大きいときの方を、前記撮影倍率が前記第１の値以下のときよりも前記絞り値を大きい値とし、前記撮影倍率が前記第１の値より大きく、前記測光結果に基づく輝度情報が同一の状況であれば、前記撮像装置のぶれ及び撮影画面内の被写体の動きがないときの方を、前記撮像装置のぶれ又は前記撮影画面内の被写体の動きがあるときよりも前記絞り値を大きい値とするとともに、前記シャッター速度を低速とすることを特徴とする請求項１乃至４のいずれか１項に記載の撮像装置。
【請求項６】
撮影倍率に関する情報を取得する取得ステップと、測光を行う測光ステップと、前記取得ステップで取得された撮影倍率に関する情報と前記測光ステップによる測光結果とに基づいて絞り値及びシャッター速度を決定する露出演算ステップと、を有する撮像装置の制御方法であって、
前記露出演算ステップは、前記測光結果に基づく輝度情報が同一であれば、前記取得ステップで取得された撮影倍率に関する情報に基づく撮影倍率が第１の値より大きいときの方を、前記撮影倍率が前記第１の値以下のときよりも前記絞り値を大きい値とし、前記撮影倍率が前記第１の値より大きく前記測光結果に基づく輝度情報が同一であれば、前記撮像装置のぶれ及び撮影画面内の被写体の動きがないときの方を、前記撮像装置のぶれ又は前記撮影画面内の被写体の動きがあるときよりも前記絞り値を大きい値とするとともに前記シャッター速度を低速とすることを特徴とする撮像装置の制御方法。
【請求項７】
撮像装置が備えるコンピュータに、撮影倍率に関する情報を取得する取得ステップと、測光を行う測光ステップと、前記取得ステップで取得された撮影倍率に関する情報と前記測光ステップによる測光結果とに基づいて絞り値及びシャッター速度を決定する露出演算ステップと、を実行させる制御プログラムであって、
前記露出演算ステップは、前記測光結果に基づく輝度情報が同一であれば、前記取得ステップで取得された撮影倍率に関する情報に基づく撮影倍率が第１の値より大きいときの方を、前記撮影倍率が前記第１の値以下のときよりも前記絞り値を大きい値とし、前記撮影倍率が前記第１の値より大きく前記測光結果に基づく輝度情報が同一であれば、前記撮像装置のぶれ及び撮影画面内の被写体の動きがないときの方を、前記撮像装置のぶれ又は前記撮影画面内の被写体の動きがあるときよりも前記絞り値を大きい値とするとともに前記シャッター速度を低速とすることを特徴とする制御プログラム。